(57)【要約】【課題】排水口内のヌメリに対して、粉体を散布する方法は薬剤が直ちに流出し効果の持続性がないし、錠剤をカゴに投入する方法はカゴ底部にのみ効果が集中し側壁などには及びにくく、また薬剤格納部を具備する排水口蓋を用いる方法は、排水口自体の大きさがまちまちであることもありコスト高となるし、溶解した薬液が的確にカゴの全表面を伝わりにくいという欠点がある。【解決手段】排水口下部に配置される円筒カゴに載置するものであって、リング状平板と該平板の孔周縁部から連続して垂下する薬剤収納袋とにより構成されており、且つ該薬剤収納袋は網材或いは不織布にて形成された柔軟なものであってその内部空間は複数に分画されている。【選択図】        図１
2004239005.tif 000002
【特許請求の範囲】
【請求項１】
排水口下部に配置される円筒カゴに載置するものであって、リング状平板と該平板の孔周縁部から連続して垂下する薬剤収納袋とにより構成されており、且つ該薬剤収納袋は網材或いは不織布にて形成された柔軟なものであってその内部空間は複数に分画されたものであることを特徴とする排水口用ヌメリ取り器。
【請求項２】
複数に分画された薬剤収納袋の個々の内部空間には、錠剤としての薬剤、或いは薬剤を内包する多孔質体が収納されているものである請求項１記載の排水口用ヌメリ取り器。
【発明の詳細な説明】
【０００１】
【発明の属する技術分野】
本発明は、排水口の下に固形ゴミ捕集用の円筒カゴを配置するタイプの排水口構造において、当該円筒カゴ或いはその周辺に発生するヌメリの除去や発生自体の抑制を図って配置されるヌメリ取り器の構造に関するものである。
【０００２】
【従来の技術】
台所シンクや浴室洗い場等の排水口の下方にカゴ状のものを配置し、野菜クズや毛髪などを捕集しようとしたものが見られる。そしてこのカゴあるいはその周辺はヌメリと悪臭の発生源であることが良く知られており、頻繁な清掃が求められる箇所の一つとなっている。
【０００３】
また、このヌメリを除去するために薬剤を使用することも従来より行われており、塩素系、酸素系、無機系等々の各種殺菌剤が実際に使用されている。こうした薬剤は、粉体としてそのまま散布したり、溶解調整剤を加えた上で錠剤としカゴ内に投入したり、或いは排水口に被せる蓋に薬剤格納部を設けここに粒剤や錠剤を入れるというものもある。
【０００４】
【発明が解決しようとする課題】
しかし、粉体散布はヌメリ除去効果は大きいものの薬剤は直ちに流出し効果の持続性が考慮された方法ではない。錠剤のカゴへの投入はある程度の持続性は期待できるがカゴ底部にのみ効果が集中し側壁などには及びにくい方法である。薬剤格納部を具備する排水口蓋を用いる方法は、排水口自体の大きさがまちまちであるのでそれらのサイズに対応させるためどうしてもコスト高となるし、溶解した薬液が的確にカゴの全表面を伝わらないこともあり得る。
【０００５】
【課題を解決するための手段】
そこで本発明者は上記問題に鑑み鋭意研究の結果、本発明を成し得たものであり、その特徴とするところは、排水口下部に配置される円筒カゴに載置するものであって、リング状平板と該平板の孔周縁部から連続して垂下する薬剤収納袋とにより構成されており、且つ該薬剤収納袋は網材或いは不織布にて形成された柔軟なものであってその内部空間は複数に分画されたものである点にある。
【０００６】
ここで「円筒カゴ」とは、金属ネット、パンチングメタル、等々の材質にてなる漉し取り器であり通常は金属線材製の把手を具備している。全体形状は円筒形であり、この把手はその上部開口に折り畳まれるように格納される。本発明に係る排水口用ヌメリ取り器は、把手を折り畳んだ状態でその開口部に被せて使用されるものであり、従ってカゴを取り出す際にはまず本発明に係る排水口用ヌメリ取り器を取り出してからということになる。なお「カゴ（籠）」という語句は一般には竹や籐、針金といった線材を編んだり組んだりして作った器物を指すが、本明細書中では上記したように金属板に多数の孔を設けたパンチングメタル、或いは金属板に多数のスリットを設けて引き延ばしたエキスパンドメタルのような構造のものも含むものとする。
【０００７】
本発明に係る排水口用ヌメリ取り器は、「リング状平板」と「薬剤収納袋」及び「薬剤」とにより構成される。この中「リング状平板」は円板の中央を円形にくり抜いたような構造の部材である。この中央の孔は、廃水が流入することとなる孔であるので、円筒カゴの径に近い方が良い。材質についてはとくに限定するものではなく、プラスチック、紙、等々のものを採用して良い。また、紙とプラスチック、或いは異質のプラスチックを積層するという形態のものであっても良い。
【０００８】
「薬剤収納袋」は、薬剤を収納しておく袋である。薬剤は廃水に溶けて溶液となり排水口内部や円筒カゴなどに流れ出る必要があるので、当然袋内に廃水が入り込むことができ、溶液が袋外に流出できる構造のものである。材質は限定しないが、小孔を多数設けたプラスチックシート、或いは不織布が好適である。またこの薬剤収納袋は上述したリング状平板と一体化するものであるので、そのための手段をこの薬剤収納袋或いはリング状平板のいずれかに具備している。この手段自体は特に限定するものではないが、薬剤収納袋の一部に舌片を設けて接着する方法、リング状平板の孔周縁部を二層構造としこの両層で薬剤収納袋を挟持する方法などが考えられる。更に薬剤収納袋は、上述したリング状平板の孔の周縁部から、該孔の周縁一周を連続する形で垂下する形で配置される部材である。この袋内に薬剤が均等に散らばるように、「内部空間を多数に仕切り、仕切られた各室に等量の薬剤を入れておくようにすると好ましい。
【０００９】
「薬剤」自体については限定しない。形状についても特に限定はしないが、錠剤としたり、多孔質体に薬剤を含漬させたもの、多孔質体の内部空間に薬剤を収納したもの、等を用いると、この錠剤や多孔質体が重量と大きさを持っているものであるから該袋の下方に溜まることになる。すると、袋自体の柔軟性にも依存することとなるが円筒カゴの内壁に添いやすい構造となり好ましい。なお「多孔質体」は、本発明者が試作した範囲では球状に成形した多孔質セラミックが好ましかったがこれに限定はしない。
【００１０】
薬剤は廃水にさらされることで次第に少なくなりやがて消失することになるがその時は、全品交換するようにしても、薬剤だけを補充するようにしても、薬剤入りの薬剤収納袋を交換するようにしても良いものとする。
【００１１】
【発明の実施の形態】
以下、本発明を図面に基づいて詳細に説明する。
【００１２】
図１は本発明に係る排水口用ヌメリ取り器１（以下本発明ヌメリ取り器１という）の実施の形態の一例を示す概略分解斜視図である。図より明らかなように本発明ヌメリ取り器１は、リング状平板２と、薬剤収納袋３、そしてこの薬剤収納袋３内に収納される薬剤４とにより構成されている。
【００１３】
リング状平板２は、円板からその同心円を抜き取った形状のものであり、本例は内径１４０ｍｍの円筒カゴ（台所シンクに多く採用されている大きさ）用のものであり、円板の直径は約１７０ｍｍ、抜き取った同心円の直径は約１４０ｍｍである。材質はプラスチックコーティングされた厚紙であり、その厚さは約１ｍｍである。
【００１４】
薬剤収納袋３は、幅約４０ｍｍ、長さ約４２０ｍｍの長尺体の端部同士を接合してなる袋であり、主材料は不織布であるがその長手方向に沿って紙３１が接着されている。袋の内部空間は複数（本例では１４個）に分画されている。また紙３１にはその幅方向に沿って設けられた切欠３２によって、リング状平板２へ接合し両者を一体化するための接着舌片３３と挿通舌片３４が形成されている。接合に際しては、接着舌片３３に接着剤を塗布し、挿通舌片３４をリング状平板２に差し込んで固定する。接着舌片３３及び挿通舌片３４の個数は本例では前者が９個、後者が３個であるがこれらの個数は本発明を限定するものではない。更には、他の方法に従ってリング状平板２と薬剤収納袋３を一体化するようにしても良い。その一例を図２に示す。本例は、二枚のリング状平板２を貼り合わせることでその孔周縁を二層としこの層間に薬剤収納袋３を差し込み、接着剤で接着したものである。図示はしないがリング状平板２を二枚貼り合わせるのではなく孔周縁部分付近だけを二層とする方法を採用しても同様である。
【００１５】
本例において使用している薬剤４は、市販されているヌメリ取り粉剤に溶解調整剤、界面活性剤、骨材等を加えた上で加圧成形した直径約１５ｍｍの球形体である。これが複数（１４個）に分画された薬剤収納袋３の各室に一つずつ収納されている。
【００１６】
図３は、本発明ヌメリ取り器１を台所シンクの排水口Ａ下方に配置された円筒カゴＢに載置した状態を概略的に示した断面図である。なお通常、そして本例の場合にも、排水口Ａには「菊割れ蓋」とよばれるゴム状の蓋Ｃが嵌め込まれているが、一般にこの蓋Ｃが存在してもなお蓋Ｃ下端と円筒カゴＢ上端とは５ｍｍ以上の間隙があるので、本発明ヌメリ取り器１設置に際して専用の蓋が必要になったり、排水口構造を変えたりする必要はない。
【００１７】
リング状平板２は、この円筒カゴＢ上端に単に乗っているだけであるが、その孔周縁部から垂下する薬剤収納袋３が円筒カゴＢの上部内壁に接触する形で存在するため不安定になることはない。加えて、設置後薬剤収納袋３が廃水によって濡れると、吸着力が増して円筒カゴ内壁面に強く密着することになるので本発明ヌメリ取り器１の安定性は更に向上する。
【００１８】
排水口Ａに流入する廃水は蓋Ｃの存在により、排水口Ａの周縁部分のみから落下するのではなく、周縁付近から落下するのはその一部ということになる。そして該一部の廃水の更に一部は、直接或いはリング状平板２を伝って薬剤収納袋３に至り、薬剤を溶解してその溶解液が円筒カゴＢの内壁や底部、更にはこれらの下流に存在する配管にも薬剤効果を及ぼすこととなる。
【００１９】
また本例では、内径１４０ｍｍの円筒カゴＢを対象物としているが、リング状平板２の孔周縁部分から垂下する薬剤収納袋３が柔軟なものでまた収納される薬剤の大きさがある程度あって袋下端付近が膨らんでいる場合には、円筒カゴＢの内径が例え１４０ｍｍでなくても対応できることとなる。図４（ａ）（ｂ）（ｃ）はそれを示したものであり、リング状平板２の孔周縁Ｘから垂下した薬剤収納袋３は下部が膨らんでいるので、孔周縁Ｘの鉛直方向（波線で示す）の内側（同図（ａ））、鉛直方向上（同図（ｂ））、鉛直方向の外側（同図（ｃ））のいずれの場合にも薬剤収納袋３は円筒カゴＢの内壁に好適に接触できる。勿論この対応可能域には限界があるが、現在実際に出回っている台所シンク用円筒カゴＢの内径は、ほぼ１３５ｍｍ、１４０ｍｍ、１４５ｍｍの三種類（実際には１４５ｍｍのサイズが大半）であるという事実から判断すると、充分なものであると言える。また本例において採用する薬剤は、廃水によって溶解することで体積が小さくなるものは不適当であると言えるので、できれば体積の変化がないものが好ましい。その意味で粉体よりも錠剤、錠剤よりも容器入りのものが好適である。容器としては、廃水の流入と溶解液の流出が可能であれば何でも良いが本発明者が実験した範囲では多孔質セラミック製のものが好適であった。また薬剤の形状に関しても、球形以外の形状、例えば円柱形、紡錘形、三角柱形、等々を採用して問題はないので、意匠上の要求、溶解液の伝わり方の効率などに応じて適宜採用すれば良い。
【００２０】
なお、三種類の内径でほぼまかなえるということは、逆に言えばリング状平板２のサイズを三種類用意しておけばほとんどの台所に対応できるということでもある。その場合には、当然ながら薬剤収納袋３に柔軟性が求められることも、薬剤が一定の大きさを持っている必要もないので、例えば剛性の高い製品とする、或いは使用する薬剤を粉体とする、といったことも自由にできる。
【００２１】
【発明の効果】
以上説明したように本発明に係る排水口用ヌメリ取り器は、排水口下部に配置される円筒カゴに載置するものであって、リング状平板と該平板の孔周縁部から連続して垂下する薬剤収納袋とにより構成されており、且つ該薬剤収納袋は網材或いは不織布にて形成された柔軟なものであってその内部空間は複数に分画されたものであることを特徴とするものであり、以下述べる如き効果を有する極めて高度な発明である。
【００２２】
（１）  円筒カゴに直接載置するものであって、且つ薬剤はカゴ内壁に接触するので、ヌメリの除去や予防が無駄なく確実に行える。
（２）  既設の排水口蓋をそのまま残して設置できるので、蓋に用いるには脆弱に過ぎるような材質・構造のものを材料として用いることが可能である。従って安価に提供できる。
（３）  柔軟な材質の薬剤収納袋を採用することで、カゴ内径の多少の大小には充分対応できる。
【図面の簡単な説明】
【図１】本発明に係る排水口用ヌメリ取り器の実施の形態の一例を示す概略分解斜視図である。
【図２】リング状平板と薬剤収納袋の一体化についての他の実施の形態の例を示す概略断面図である。
【図３】本発明に係る排水口用ヌメリ取り器の使用状態の一例を概略的に示す断面図である。
【図４】（ａ）（ｂ）（ｃ）は、一つのサイズの本発明に係る排水口用ヌメリ取り器を以て内径の異なる三種の円筒カゴに対応できることを示す、いずれも概略断面図である。
【符号の説明】
１    本発明に係る排水口用ヌメリ取り器
２    リング状平板
２１  スリット
３    薬剤収納袋
３１  紙
３２  切欠
３３  接着舌片
３４  挿通舌片
４      薬剤
Ａ    排水口
Ｂ    円筒カゴ
Ｃ    蓋
Ｘ    リング状平板の孔周縁
【図１】
2004239005.tif 000003
【図２】
2004239005.tif 000004
【図３】
2004239005.tif 000005
【図４】
2004239005.tif 000006